(57)【要約】  フィルター構造体（１）は、可撓性を有し、吸気口を被覆可能なサイズに設定され、シート状に形成されてなるフィルター本体（１０）と、フィルター本体（１０）の一方面において、吸気口の外周のサイズに応じた寸法関係に設定されると共に、フィルター本体（１０）の内方部を略連続的に取り囲むように形成され、吸気口の外周に対してフィルター本体（１０）を固定するための固定部（２０）とを備える。このように構成すると、使用時において、空気がフィルター本体（１０）を通過するようになるので、フィルター本体（１０）の機能を有効に活用することができる。
2018062344.tif 000002
【特許請求の範囲】
【請求項１】
空気清浄機の吸気口に取り付けて、前記吸気口を通過する空気をろ過するためのフィルター構造体（１、２）であって、
可撓性を有し、前記吸気口を被覆可能なサイズに設定され、シート状に形成されてなるフィルター本体（１０、１５）と、
前記フィルター本体の一方面において、前記吸気口の外周のサイズに応じた寸法関係に設定されると共に、前記フィルター本体の内方部を略連続的に取り囲むように形成され、前記吸気口の外周に対して前記フィルター本体を固定するための固定部（２０、２２）とを備える、フィルター構造体。
【請求項２】
前記フィルター本体の通気量は、１５００〜５０００ｃｃ／ｃｍ２／ｓｅｃに設定されている、請求項１記載のフィルター構造体。
【請求項３】
前記固定部は、粘着剤が塗布されて形成され、
更に、前記フィルター本体の内方部を通り、所定の間隔で帯状に形成された帯状部（３１、３５、３６、３７）を含む、請求項１又は請求項２記載のフィルター構造体。
【請求項４】
前記フィルター本体は、抗菌加工及び抗ウイルス加工の少なくとも一方が施されている、請求項１から請求項３のいずれかに記載のフィルター構造体。
【請求項５】
一部を切り取ったものを又は全部を対象物に貼着して、通過する空気をろ過するためのフィルター構造体であって、
可撓性を有し、エアーコンディショナーの吸気口を被覆可能なサイズに設定され、平面視において略矩形形状のシート状よりなるフィルター本体と、
前記フィルター本体の一方面において設けられ、前記対象物に対して前記フィルター本体を固定するための固定部とを備え、
前記固定部は、
前記略矩形形状の一辺の端縁部（１１）に沿って延びる第１の帯状部（４１）と、
前記略矩形形状の前記一辺に対向する対向辺の端縁部（１２）に沿って延びる第２の帯状部（４２）と、
前記略矩形形状の前記一辺と前記対向辺とを結ぶ接続辺の端縁部（１３）に沿って延びる第３の帯状部（４３）と、
前記第３の帯状部と平行に延び、前記第３の帯状部から所定の幅だけ離間して設けられる第４の帯状部（４４）とを有し、
前記第１の帯状部の一部、前記第２の帯状部の一部、前記第３の帯状部及び前記第４の帯状部からなるロの字形状のサイズは、空気清浄機の吸気口の外周のサイズに応じた寸法関係に設定されている、フィルター構造体。
【請求項６】
前記固定部は、粘着剤が塗布されて形成され、
更に、前記フィルター本体の内方部において、フィルター構造体の取り換え時期を示す標識状に粘着剤が塗布されてなる標識部（９５）を含む、請求項１から請求項５のいずれかに記載のフィルター構造体。
【請求項７】
前記標識部は、複数の標識要素から構成され、
前記標識要素は、一辺が６〜１５ｍｍ且つ他辺が６〜１５ｍｍである正方形又は長方形で形成される範囲内に収まる大きさであり、
前記領域部分には前記複数の標識要素が島状に散在するように形成されている、請求項６に記載のフィルター構造体。
【請求項８】
前記複数の標識要素は、最も近接する標識要素同士が、上下左右のいずれかに互いにずらした状態で設けられている、請求項７に記載のフィルター構造体。
【請求項９】
空気清浄機の吸気構造（７０）であって、
空気清浄機の背面に設けられ、縦３３〜５５ｃｍ、幅１９〜３８ｃｍのサイズに設定されている背面吸気口と、
前記背面吸気口の外周に位置合わせをして取り付けられた、請求項１から請求項４のいずれかに記載のフィルター構造体とを備える、空気清浄機の吸気構造。
【請求項１０】
空気清浄機の吸気構造（７０）であって、
空気清浄機の背面に設けられ、縦３３〜５５ｃｍ、幅１９〜３８ｃｍのサイズに設定されている背面吸気口と、
請求項５記載のフィルター構造体を、前記第４の帯状部に沿ってカットして、前記背面吸気口の外周に位置合わせをして取り付けられた空気清浄機用フィルター構造体とを備える、空気清浄機の吸気構造。
【発明の詳細な説明】
【技術分野】
【０００１】
この発明はフィルター構造体及び空気清浄機の吸気構造に関し、特に、空気清浄機の吸気口に取り付けて、吸気口を通過する空気をろ過するための空気清浄機用のフィルター構造体及びこれを取り付けた空気清浄機の吸気構造に関するものである。
【背景技術】
【０００２】
従来、クーラーやエアーコンディショナー、除湿機又は空気清浄機等の空気吸入面を有する機械にカバーを取り付けて、空気吸入面をはじめとする機械外部へのよごれの付着を防止することが提案されている。【０００３】
例えば、日本国特開平１１−８３０６９号公報では、カバー本体にひも又はひもの先端に面ファスナーを設けたものや、カバー本体にゴムを設けたものを、機械に対して脱着自在に装着する技術が開示されている。又、カバー本体に折り込み部分を設けて、様々なメーカーや機種のサイズの空気吸入面に対応することが開示されている。
【先行技術文献】
【特許文献】
【０００４】
【特許文献１】日本国特開平１１−８３０６９号公報
【０００５】
しかしながら、一般的に、エアーコンディショナーの空気吸入面のサイズのほうが、床置式の除湿機、空気清浄機の空気吸入面のサイズよりも大きい傾向がある。このため、上述の従来技術では、除湿機、空気清浄機にカバーを装着する際には、相当程度折り込み部分を設けなければならない場合があった。よって、上述の従来技術では、エアーコンディショナーや空気清浄機等と兼用としたことにより、折り込み部分で空気吸入の抵抗が低下するおそれがあった。【０００６】
空気清浄機用のフィルターとしては、空気清浄機の吸気口にフィルターを取り付ける手法として、フィルターの四隅に、面ファスナーを取り付け、面ファスナーを介してフィルターを吸気口の周囲に固定することも提案されている。しかしながら、この手法では、フィルター本体の通気抵抗のほうが、面ファスナーで固定されていない隙間の部分の通気抵抗よりも大きいため、空気が、あまりフィルター本体を通過せずに、当該隙間の部分を通過してしまう傾向があった。このため、フィルター本体のろ過性能を充分に生かし切れないという課題があった。【０００７】
この発明は、上記のような課題を解決するためになされたもので、空気がフィルター本体を通過し、フィルター本体のろ過性能を生かすことができるフィルター構造体及び空気清浄機の吸気構造を提供することを目的とする。
【発明の開示】
【０００８】
上記の目的を達成するために、この発明の第１の局面におけるフィルター構造体は、空気清浄機の吸気口に取り付けて、吸気口を通過する空気をろ過するためのフィルター構造体であって、可撓性を有し、吸気口を被覆可能なサイズに設定され、シート状に形成されてなるフィルター本体と、フィルター本体の一方面において、吸気口の外周のサイズに応じた寸法関係に設定されると共に、フィルター本体の内方部を略連続的に取り囲むように形成され、吸気口の外周に対してフィルター本体を固定するための固定部とを備えたものである。
【０００９】
このように構成すると、使用時において、空気がフィルター本体を通過するようになる。
【００１０】
この発明の第２の局面におけるフィルター構造体は、第１の局面における発明の構成において、フィルター本体の通気量は、１５００〜５０００ｃｃ／ｃｍ２／ｓｅｃに設定されているものである。
【００１１】
このように構成すると、空気清浄機の通気を過度には妨げない通気量となる。
【００１２】
この発明の第３の局面におけるフィルター構造体は、第１の局面又は第２の局面における発明の構成において、固定部は、粘着剤が塗布されて形成され、更に、フィルター本体の内方部を通り、所定の間隔で帯状に形成された帯状部を含むものである。
【００１３】
このように構成すると、フィルター本体の内方部において固定のための粘着力が生じる。
【００１４】
この発明の第４の局面におけるフィルター構造体は、第１の局面から第３の局面のいずれかにおける発明の構成において、フィルター本体は、抗菌加工及び抗ウイルス加工の少なくとも一方が施されているものである。
【００１５】
このように構成すると、菌又はウイルスの発生又は増殖を抑制することができる。
【００１６】
この発明の第５の局面におけるフィルター構造体は、一部を切り取ったものを又は全部を対象物に貼着して、通過する空気をろ過するためのフィルター構造体であって、可撓性を有し、エアーコンディショナーの吸気口を被覆可能なサイズに設定され、平面視において略矩形形状のシート状よりなるフィルター本体と、フィルター本体の一方面において設けられ、対象物に対してフィルター本体を固定するための固定部とを備え、固定部は、略矩形形状の一辺の端縁部に沿って延びる第１の帯状部と、略矩形形状の一辺に対向する対向辺の端縁部に沿って延びる第２の帯状部と、略矩形形状の一辺と対向辺とを結ぶ接続辺の端縁部に沿って延びる第３の帯状部と、第３の帯状部と平行に延び、第３の帯状部から所定の幅だけ離間して設けられる第４の帯状部とを有し、第１の帯状部の一部、第２の帯状部の一部、第３の帯状部及び第４の帯状部からなるロの字形状のサイズは、空気清浄機の吸気口の外周のサイズに応じた寸法関係に設定されているものである。
【００１７】
このように構成すると、フィルター本体をカットしない状態では、エアーコンディショナー用のフィルター構造体となり、第４の帯状部に沿ってカットした状態では、空気清浄機用のフィルター構造体となる。
【００１８】
この発明の第６の局面におけるフィルター構造体は、第１の局面から第５の局面のいずれかにおける発明の構成において、固定部は、粘着剤が塗布されて形成され、更に、フィルター本体の内方部において、フィルター構造体の取り換え時期を示す標識状に粘着剤が塗布されてなる標識部を含むものである。
【００１９】
このように構成すると、使用が進むと、標識部の周囲に埃が付着する。
【００２０】
この発明の第７の局面におけるフィルター構造体は、第６の局面における発明の構成において、標識部は、複数の標識要素から構成され、標識要素は、一辺が６〜１５ｍｍ且つ他辺が６〜１５ｍｍである正方形又は長方形で形成される範囲内に収まる大きさであり、領域部分には複数の標識要素が島状に散在するように形成されているものである。
【００２１】
このように構成すると、標識要素が空気清浄機の背面吸気口の格子の間を防ぐことを抑制でき、且つ使用が進んだときの標識要素の視認性が高まる。
【００２２】
この発明の第８の局面におけるフィルター構造体は、第７の局面における発明の構成において、複数の標識要素は、最も近接する標識要素同士が、上下左右のいずれかに互いにずらした状態で設けられているものである。
【００２３】
このように構成すると、より確実に標識部の標識要素の周囲に埃が付着する。
【００２４】
この発明の第９の局面における空気清浄機の吸気構造は、空気清浄機の吸気構造であって、空気清浄機の背面に設けられ、縦３３〜５５ｃｍ、幅１９〜３８ｃｍのサイズに設定されている背面吸気口と、背面吸気口の外周に位置合わせをして取り付けられた、第１の局面から第４の局面のいずれかにおけるフィルター構造体とを備えたものである。
【００２５】
このように構成すると、使用時において、空気がフィルター本体を通過する空気清浄機の吸気構造が得られる。
【００２６】
この発明の第１０の局面における空気清浄機の吸気構造は、空気清浄機の吸気構造であって、空気清浄機の背面に設けられ、縦３３〜５５ｃｍ、幅１９〜３８ｃｍのサイズに設定されている背面吸気口と、第５の局面におけるフィルター構造体を、第４の帯状部に沿ってカットして、背面吸気口の外周に位置合わせをして取り付けられた空気清浄機用フィルター構造体とを備えたものである。
【００２７】
このように構成すると、使用時において、空気がフィルター本体を通過する空気清浄機の吸気構造が得られる。
【００２８】
以上説明したように、この発明の第１の局面におけるフィルター構造体は、使用時において、空気がフィルター本体を通過するようになるので、フィルター本体の機能を有効に活用することができる。
【００２９】
この発明の第２の局面におけるフィルター構造体は、第１の局面における発明の効果に加えて、空気清浄機の通気を過度には妨げない通気量となるため、空気清浄機の運転に支障が生じることを避けることができる。
【００３０】
この発明の第３の局面におけるフィルター構造体は、第１の局面又は第２の局面における発明の効果に加えて、フィルター本体の内方部において固定のための粘着力が生じるので、空気清浄機への取り付けがより確実なものとなる。
【００３１】
この発明の第４の局面におけるフィルター構造体は、第１の局面から第３の局面のいずれかにおける発明の効果に加えて、菌又はウイルスの発生又は増殖を抑制することができるので、衛生面で有利となる。
【００３２】
この発明の第５の局面におけるフィルター構造体は、カットに応じて、エアーコンディショナーと、空気清浄機とのいずれかの機器に手軽に取り付け可能で、且つ、塵埃の侵入をより確実に抑制できるフィルター構造体が得られる。
【００３３】
この発明の第６の局面におけるフィルター構造体は、第１の局面から第５の局面のいずれかにおける発明の効果に加えて、使用が進むと、標識部の周囲に埃が付着するため、標識部が埃によって浮き上がりフィルター構造体の取り換え時期を示すことができる。
【００３４】
この発明の第７の局面におけるフィルター構造体は、第６の局面における発明の効果に加えて、標識要素が空気清浄機の背面吸気口の格子の間を防ぐことを抑制でき、且つ使用が進んだときの標識要素の視認性が高まるので、標識要素が、より確実にフィルター構造体の取り換え時期を示す標識として機能する。
【００３５】
この発明の第８の局面におけるフィルター構造体は、第７の局面における発明の効果に加えて、より確実に標識部の標識要素の周囲に埃が付着するので、標識部の標識要素がうまく浮き上がらなくなってしまうことを避けることができる。
【００３６】
この発明の第９の局面における空気清浄機の吸気構造は、第１の局面から第４の局面のいずれかにおける発明の効果に加えて、使用時において、空気がフィルター本体を通過する空気清浄機の吸気構造が得られるようになるので、フィルター本体の機能を有効に活用することができる一方で、空気清浄機の内部の埃汚れを防止することができる。
【００３７】
この発明の第１０の局面における空気清浄機の吸気構造は、第５の局面における発明の効果に加えて、使用時において、空気がフィルター本体を通過する空気清浄機の吸気構造が得られるようになるので、フィルター本体の機能を有効に活用することができる一方で、空気清浄機の内部の埃汚れを防止することができる。
【図面の簡単な説明】
【００３８】
【図１】この発明の第１の実施の形態による空気清浄機用フィルター構造体の外観形状を示した平面図である。
【図２】図１に示したＩＩ−ＩＩラインの端面図である。
【図３】図２に示したＸ１部分の拡大図である。
【図４】空気清浄機の外観を示す図であり、（ａ）は、空気清浄機の正面側の外観形状を示しており、（ｂ）は、空気清浄機の背面側の外観形状を示している。
【図５】フィルター構造体を空気清浄機に取り付ける取付工程を示す図である。
【図６】この発明の第２の実施の形態による空気清浄機の吸気構造の外観形状を示す平面図であって、図１に対応するものである。
【図７】この発明の第３の実施の形態による空気清浄機の吸気構造の外観形状を示す平面図であって、図６に対応するものである。
【図８】この発明の第４の実施の形態によるフィルター構造体の外観形状を示した平面図であり、図６に対応するものである。
【図９】この発明の第５の実施の形態によるフィルター構造体の外観形状を示した平面図であり、図７に対応するものである。
【図１０】この発明の第６の実施の形態によるフィルター構造体の外観形状を示した平面図であり、図６に対応するものである。
【図１１】フィルター構造体をエアーコンディショナーに取り付ける取付工程を示す図である。
【図１２】フィルター構造体を空気清浄機に取り付ける取付工程を示す図である。
【図１３】図１２に示した取付工程に続く工程を示す図である。
【図１４】この発明の第７の実施の形態によるフィルター構造体の外観形状を示した平面図であり、図１２のＳ３１に対応するものである。
【図１５】この発明の第８の実施の形態によるフィルター構造体の外観形状を示した平面図であり、図１に対応するものである。
【図１６】図１５に示したフィルター構造体の底面図である。
【図１７】この発明の第９の実施の形態によるフィルター構造体の外観形状を示した平面図であり、図１５に対応するものである。
【発明を実施するための形態】
【００３９】
図１は、この発明の第１の実施の形態による空気清浄機用フィルター構造体の外観形状を示した平面図であり、図２は、図１に示したＩＩ−ＩＩラインの端面図であり、図３は、図２に示したＸ１部分の拡大図である。
【００４０】
これらの図を参照して、フィルター構造体１は、空気清浄機の吸気口に取り付けて、吸気口を通過する空気をろ過するための空気清浄機用のものであり、フィルター本体１０と、固定部２０とを備える。
【００４１】
フィルター本体１０は、可撓性を有し、吸気口を被覆可能なサイズに設定され、シート状に形成されてなる不織布等により構成されている。
【００４２】
又、フィルター本体１０は、平面視において略矩形形状に形成されており、略矩形形状の長辺の長さＷ１１が略３８．５ｃｍに設定され、短辺の長さＷ１２が略２５ｃｍに設定されている。又、フィルター本体１０には、光触媒の無機系薬剤が添加される抗ウイルス加工がなされており、ウイルスの発生を抑制することができ衛生面で有利である。又、フィルター本体１０の通気量は、１５００〜５０００ｃｃ／ｃｍ２／ｓｅｃに設定されている。このような通気量に設定されているので、空気清浄機の通気を過度には妨げず、空気清浄機の運転に支障が生じることを避けることができる。例えば、使用時に、空気清浄機において目詰まりのエラーが発生することを避けることができる。
【００４３】
固定部２０は、フィルター本体１０の一方面において、吸気口の外周のサイズに応じた寸法関係に設定されると共に、フィルター本体１０の内方部を略連続的に取り囲むように形成される。
【００４４】
又、固定部２０は、フィルター本体１０の一方面において、フィルター本体１０の略矩形形状の端縁部に沿って、粘着剤（ウレタン系粘着剤等）が略ロの字形状の帯状に塗布されて形成される。固定部２０は、この塗布された粘着剤により、空気清浄機の吸気口の外周に対してフィルター本体１０を固定することができる。固定部２０の帯状の幅Ｗ２１は、１．０ｃｍに設定されている。
【００４５】
以上のようにフィルター構造体１を構成する効果については後述する。
【００４６】
次に、フィルター構造体１を空気清浄機に取り付ける場合について説明する。
【００４７】
図４は、空気清浄機の外観を示す図であり、（ａ）は、空気清浄機の正面側の外観形状を示しており、（ｂ）は、空気清浄機の背面側の外観形状を示しており、図５は、フィルター構造体を空気清浄機に取り付ける取付工程を示す図である。
【００４８】
まず、図４の（ａ）及び（ｂ）に示すように、空気清浄機６０は、縦Ｈ６１＝６４ｃｍ、幅Ｗ６１＝２４ｃｍに設定されている背面部６１と、背面部６１に設けられ、縦Ｈ６２＝３７ｃｍ、幅Ｗ６２＝２４ｃｍ（＝Ｗ６１）のサイズに設定されている背面吸気口部６２とを備える。背面吸気口部６２は、略直角四角形形状の開口が縦横に整列された状態で配置されてなる構成である。
【００４９】
次に、図５を参照して、Ｓ１に示すように、粘着部２０の側を背面吸気口部６２に対向させて、矢印方向に、フィルター本体１０を背面吸気口部６２の外方に位置する外周６３に位置合わせをして取り付けると、Ｓ２に示すように取り付けが完了し空気清浄機の吸気構造７０が完成する。
【００５０】
このような吸気構造７０では、空気清浄機の使用時において、空気がフィルター本体１０を通過して空気清浄機の吸気口に流入するようになるので、フィルター本体１０のろ過機能及び抗ウイルス機能を有効に活用することができる。
【００５１】
図６は、この発明の第２の実施の形態による空気清浄機の吸気構造の外観形状を示す平面図であって、図１に対応するものである。
【００５２】
尚、説明に当たっては、基本的には第１の実施の形態によるものと同一であるため、その相違点を中心に説明する。
【００５３】
同図を参照して、この第２の実施の形態によるフィルター構造体１の固定部２０では、第１の実施の形態のものにおいて、更に、帯状部３１と、標識部３２と、輪郭部３３とを備える。
【００５４】
帯状部３１は、略矩形形状の短辺に対し、θ＝４５°の角度で交差するようにフィルター本体１０の内方部を通り、長辺方向に所定の間隔Ｗ３１＝６．０ｃｍで形成されている。又、帯状部３１の幅Ｗ３２は、０．８ｃｍに設定されている。
【００５５】
標識部３２は、帯状部３１の少なくとも一部に重なり合うようにして設けられ、フィルター構造体１の取り換え時期を示す標識状、すなわち「とりかえてネ（日本語）」の反転文字状に粘着剤が塗布されたものである。
【００５６】
輪郭部３３は、標識部３２の周囲に設けられ、粘着剤が塗布されていない部分である。
【００５７】
このように構成すると、フィルター本体１０の内方部において固定のための粘着力が生じるので、空気清浄機への取り付けがより確実なものとなる。
【００５８】
図７は、この発明の第３の実施の形態による空気清浄機の吸気構造の外観形状を示す平面図であって、図６に対応するものである。
【００５９】
尚、説明に当たっては、基本的には第２の実施の形態によるものと同一であるため、その相違点を中心に説明する。
【００６０】
同図を参照して、この第３の実施の形態によるフィルター構造体１の固定部２０では、第２の実施の形態における帯状部３１を、帯状部３５に置き換えている。
【００６１】
帯状部３５は、略矩形形状の短辺に対して、θ＝略４５°及びγ＝略１３５°のそれぞれの角度で交差する構成である。言い換えれば、帯状部３５は、Ｘ字状の格子形状を有する。このため、第２の実施の形態のものと比べて、より粘着力を補強することができる。
【００６２】
図８は、この発明の第４の実施の形態によるフィルター構造体の外観形状を示した平面図であり、図６に対応するものである。
【００６３】
尚、説明に当たっては、基本的には第２の実施の形態によるものと同一であるため、その相違点を中心に説明する。
【００６４】
同図を参照して、この第４の実施の形態にあっては、第２の実施の形態における帯状部３１を、帯状部３６に置き換えている。
【００６５】
帯状部３６は、略矩形形状の短辺に対して、略直交するように、フィルター本体１０の内方部を通り延びる帯が、長辺方向に所定の間隔で形成されてなる構成である。言い換えれば、帯状部３６は、Ｉ字状の堅格子形状を有する。
【００６６】
このような構成によっても、フィルター本体１０の内方部において固定のための粘着力が生じるので、空気清浄機への取り付けがより確実なものとなる。
【００６７】
図９は、この発明の第５の実施の形態によるフィルター構造体の外観形状を示した平面図であり、図７に対応するものである。
【００６８】
尚、説明に当たっては、基本的には第３の実施の形態によるものと同一であるため、その相違点を中心に説明する。
【００６９】
同図を参照して、この第５の実施の形態にあっては、固定部２０は、第３の実施の形態における固定部２０から、外周の略ロの字形状の帯状の部分を取り除いたような構成である。すなわち、固定部２０は、略矩形形状の短辺に対して、θ＝略４５°及びγ＝略１３５°のそれぞれの角度で交差するＸ字状の格子形状を有する帯状部３７を備える。
【００７０】
帯状部３７の外周部、すなわち折れ線Ｌに沿って延びる部分は、フィルター本体内方部を連続的に取り囲むように形成されている。又、帯状部３７の外周部のサイズ（すなわち、閉じた折れ線Ｌのサイズ）は、取り付け対象となる空気清浄機の吸気口の外周の形状Ｐよりも一回り大きく設定されている。
【００７１】
このように、固定部２０では、ロの字形状には限られず、吸気口の外周のサイズに応じた寸法関係に設定されると共に、フィルター本体１０の内方部を略連続的に取り囲むような形状であれば、任意の形状を採用することができる。このような構成によれば、使用時において、空気がフィルター本体を通過するようになる。
【００７２】
図１０は、この発明の第６の実施の形態によるフィルター構造体の外観形状を示した平面図であり、図６に対応するものである。
【００７３】
尚、説明に当たっては、基本的には第２の実施の形態によるものと同一であるため、その相違点を中心に説明する。
【００７４】
同図を参照して、この第６の実施の形態にあっては、フィルター構造体２は、一部を切り取ったものを又は全部を対象物に貼着して、通過する空気をろ過するためのものであって、空気清浄機用だけでなく、エアーコンディショナー用を兼ねる。
【００７５】
具体的には、フィルター構造体２は、可撓性を有し、エアーコンディショナーの吸気口を被覆可能なサイズに設定され、平面視において略矩形形状のシート状よりなるフィルター本体１５と、フィルター本体１５の一方面において設けられ、対象物に対してフィルター本体１５を固定するための固定部２２とを備える構成である。
【００７６】
フィルター本体１５のサイズは、略矩形形状の長辺の長さＷ４１が略８０ｃｍに設定され、短辺の長さＷ４２が略３８ｃｍに設定されている。
【００７７】
固定部２２は、粘着剤が塗布されて形成されるものであり、第２の実施の形態による固定部２０と同様、帯状部３１と、標識部３２と、輪郭部３３とを含むと共に、更に、以下に説明する９つの帯状部を含む。
【００７８】
第１の帯状部４１は、略矩形形状の一辺の端縁部１１に沿って延びる。
【００７９】
第２の帯状部４２は、略矩形形状の一辺に対向する対向辺の端縁部１２に沿って延びる。
【００８０】
第３の帯状部４３は、略矩形形状の一辺と対向辺とを結ぶ接続辺の端縁部１３に沿って延びる。
【００８１】
第４の帯状部４４は、第３の帯状部４３と平行に延び、第３の帯状部４３から所定の幅だけ離間して設けられる。
【００８２】
第５の帯状部４５は、上述の接続辺に対向する辺の端縁部１４に沿って延びる。すなわち、第５の帯状部４５は、第３の帯状部４３に対向する位置関係にある。
【００８３】
第６の帯状部４６は、フィルター本体１５の略矩形形状の一対の短辺の中央同士を結ぶ仮想線Ｍの第１の帯状部４１側において仮想線Ｍに沿って延びるように形成されている。
【００８４】
第７の帯状部４７は、仮想線Ｍの第２の帯状部４２側において仮想線Ｍに沿って延びるように形成されている。
【００８５】
第８の帯状部４８は、第６の帯状部４６に対して、第１の帯状部４１側に離間して形成される。
【００８６】
第９の帯状部４９は、第７の帯状部４７に対して、第２の帯状部４２側に離間して形成される。
【００８７】
又、固定部２２では、第１の帯状部の一部４１ａ、第２の帯状部の一部４２ａ、第３の帯状部４３及び第４の帯状部４４からなるロの字形状のサイズ（すなわち、閉じた折れ線Ｌのサイズ）は、空気清浄機の吸気口の外周のサイズに応じた寸法関係に設定されている。
【００８８】
このように構成すると、フィルター構造体２は、フィルター本体１５をカットしない状態では、エアーコンディショナー用のものとなり、フィルター本体１５を第４の帯状部４４におけるロの字形状の外方側（すなわち、直線Ｃ）に沿ってカットした状態では、空気清浄機用のものとなる。
【００８９】
以下、フィルター構造体２をエアーコンディショナー及び空気清浄機のそれぞれに取り付ける場合について順に説明する。
【００９０】
図１１は、フィルター構造体をエアーコンディショナーに取り付ける取付工程を示す図である。
【００９１】
同図を参照して、Ｓ２１に示すように、フィルター構造体２を、仮想線Ｍ（図１０参照）に沿って、山折りに折り曲げた状態で、フィルター本体１５の固定部２２側を、エアーコンディショナー５０の前面吸気口５１に対向させて、矢印方向にフィルター構造体２を前面吸気口５１に貼り付ける。
【００９２】
次に、Ｓ２２に示すように、更に、上面吸気口５２を覆うようにフィルター構造体２を矢印方向に取り付けると、Ｓ２３に示すように取付完了状態となる。
【００９３】
尚、フィルター構造体２のフィルター本体１５は、図１０を用いて説明した通り、略矩形形状の長辺の長さＷ４１が略８０ｃｍに設定され、短辺の長さＷ４２が略３８ｃｍに設定されているため、よく用いられる家庭用のエアーコンディショナーの吸気口のサイズによく適合する。よって、メーカー・機種が異なるエアーコンディショナーの間で汎用性の高いフィルター構造体２が得られる。
【００９４】
又、第６の帯状部４６〜第９の帯状部４９により、中央付近において粘着力を生じさせることができるため、エアーコンディショナーの取付工程のときのように、中央付近でフィルター本体を折り曲げて使用するような場合において、対象物への固定がより確実なものとなる。
【００９５】
次に、フィルター構造体２を空気清浄機に取り付ける場合について説明する。
【００９６】
図１２は、フィルター構造体を空気清浄機に取り付ける取付工程を示す図であり、図１３は、図１２に示した取付工程に続く工程を示す図である。
【００９７】
まず、図１２を参照して、Ｓ３１に示すように、フィルター本体１５の長辺を、直線Ｃでカットして、カット後のフィルター本体１６を準備する。
【００９８】
次に、Ｓ３２に示すように、固定部２２を背面吸気口部６２に対向させて、矢印方向に、カット後のフィルター本体１６を背面吸気口部６２の外周６３に位置合わせをして取り付けると、図１３のＳ３３に示すように取り付けが完了し空気清浄機の吸気構造７０が完成する。
【００９９】
フィルター構造体２は、カット前のフィルター本体１５の長辺方向が、水平方向に一致するように、空気清浄機の背面吸気口部６２に取り付けられている。フィルター本体１６において、固定部に含まれるロの字形状のサイズ（すなわち、閉じた折れ線Ｌのサイズ）は、背面吸気口部６２が収まるような寸法関係（閉じた折れ線Ｌが、外周６３に対応するような寸法関係）に設定されている。
【０１００】
以上のように、フィルター構造体２は、カットに応じて、エアーコンディショナーと、空気清浄機とのいずれかの機器に手軽に取り付け可能で、且つ、塵埃の侵入をより確実に抑制できるものである。
【０１０１】
図１４は、この発明の第７の実施の形態によるフィルター構造体の外観形状を示した平面図であり、図１２のＳ３１に対応するものである。
【０１０２】
尚、説明に当たっては、基本的には第６の実施の形態によるものと同一であるため、その相違点を中心に説明する。
【０１０３】
同図を参照して、この第７の実施の形態にあっては、第６の実施の形態によるものとフィルター構造体２の取り付けの向きが異なる。
【０１０４】
フィルター構造体２は、カット前のフィルター本体１５の長辺方向が、上下方向に一致するように、空気清浄機の吸気口（不図示）に取り付けられている。フィルター本体１６において、固定部に含まれるロの字形状のサイズ（すなわち、閉じた折れ線Ｌのサイズ）は、空気清浄機の吸気口の外周の形状Ｐに応じた寸法関係に設定されている。
【０１０５】
空気清浄機の吸気口のサイズなどに応じて、このような向きにフィルター構造体２を取り付けてもよい。
【０１０６】
尚、上記の各実施の形態では特定の寸法を有するフィルター構造体について説明したが、これに限られない。例えば、フィルター本体の略矩形形状の長辺の長さ及び短辺の長さを入れ替えてもよい。
【０１０７】
又、上記の各実施の形態では、特定の目付及び通気量のフィルター本体について説明したが、これに限られない。
【０１０８】
更に、上記の各実施の形態では特定の形状の部分を有する固定部について説明したが、これに限られない。固定部は、フィルター本体の一方面において、空気清浄機の吸気口の外周のサイズに応じた寸法関係に設定されると共に、フィルター本体の内方部を略連続的に取り囲むように形成される部分を含んでいれば、特に限定されない。又、空気清浄機の吸気口への直接の空気の侵入が防げるようであれば、フィルター本体の内方部を完全に連続的に取り囲む形状でなくても構わない。
【０１０９】
更に、上記の各実施の形態では、空気清浄機に対してフィルター本体を固定するため固定部が、粘着剤が塗布されて形成されていることについて説明したがこれに限られない。固定部は、面ファスナーや両面テープから形成されていても構わない。
【０１１０】
更に、上記の各実施の形態では、フィルター構造体を、空気清浄機の背面吸気口に取り付ける例について主に説明したが、背面吸気口だけでなくその他の吸気口に取り付けても構わない。
【０１１１】
更に、上記の第２の実施の形態等では固定部が標識部及び輪郭部を備える構成について説明したが、これら標識部及び輪郭部は省略してもよい。
【０１１２】
更に、上記の各実施の形態では、フィルター本体に抗ウイルス加工が施されていることについて説明したが、これに限られない。フィルター本体には、抗菌加工及び抗ウイルス加工の少なくとも一方が施されていればよい。又、これらの加工は、上述したような光触媒等の無機系薬剤によるものでも、有機系薬剤によるものでも、或いはこれらの組み合わせでもよく、特に制限はない。又、例えば、光触媒を構成する酸化チタン粒子に銅を担持したものを用いてもよい。これにより菌又はウイルスの発生又は増殖を抑制することができる。
【０１１３】
更に、上記の各実施の形態では特に説明しなかったが、空気清浄機の背面吸気口のサイズは、幅（Ｗ６２）２４、２５、２６、３０、３３ｃｍ、縦（Ｈ６２）３８、４０ｃｍの組み合わせのものが多く、概ね縦３３〜４５ｃｍ、幅１９〜３８ｃｍのサイズに設定されているといえる。すなわち、フィルター本体は、このような背面吸気口を被覆可能なサイズ、例えば、縦３５〜４５ｃｍ、幅１９〜３８ｃｍのサイズに設定されていればよい。
【０１１４】
更に、上記の第６及び第７の実施の形態では、対象物に応じてカットすることで、エアーコンディショナーと、空気清浄機との両方の機器に手軽に取り付け可能なようにフィルター本体のサイズが長辺の長さＷ１１が略８０ｃｍに設定され、短辺の長さＷ１２が略３８ｃｍに設定されていたが、これに限られない。
【０１１５】
更に、上記の各実施の形態では特に説明しなかったが、空気清浄機の背面及び背面吸気口は、粘着剤による接着の観点から言えば、ポリスチレン（ＰＳ）、耐衝撃性ポリスチレン（ＨＩＰＳ）、アクリロニトリル・ブタジエン・スチレン共重合体（ＡＢＳ）などの合成樹脂からなる部材により構成されていることが好ましい。
【０１１６】
更に、上記の第１の実施の形態では、粘着部がウレタン系粘着剤からなることを説明したがこれに限られない。粘着部を、アクリル系粘着剤又はシリコーン系粘着剤等により形成してもよい。
【０１１７】
更に、上記の各実施の形態では、特に説明しなかったが、固定部の面積のフィルター本体の面積に対する割合は、約４０％であっても構わない。又、上記割合は、６０％以下であることが好ましく、５５％以下であることがより好ましい。
【０１１８】
図１５は、この発明の第８の実施の形態によるフィルター構造体の外観形状を示した平面図であり、図１に対応するものであり、図１６は、図１５に示したフィルター構造体の底面図である。
【０１１９】
尚、説明に当たっては、第１の実施の形態によるものとの相違点を中心に説明する。
【０１２０】
これらの図を参照して、この第８の実施の形態にあっては、フィルター構造体８０は、空気清浄機の吸気口のサイズに応じてカットすることが可能である。具体的には、固定部２０は、フィルター本体１０の内方部を略連続的に取り囲む外周部分と、外周部分の内方領域、すなわち、フィルター本体１０の内方部に設けられる格子部分とを含む。
【０１２１】
外周部分は、略矩形形状の一辺の端縁部１１に沿って延びる第１の帯状部４１と、略矩形形状の一辺に対向する対向辺の端縁部１２に沿って延びる第２の帯状部４２と、略矩形形状の一辺と対向辺とを結ぶ接続辺の端縁部１３に沿って延びる第３の帯状部４３と、上述の接続辺に対向する辺の端縁部１４に沿って延びる第４の帯状部８１とから構成される。
【０１２２】
格子部分は、第１の帯状部４１及び第２の帯状部４２に対して平行に延びる第５の帯状部８２及び第６の帯状部８３と、第１の帯状部４１、第２の帯状部４２、第５の帯状部８２及び第６の帯状部８３に対して略直交するように延びる第７の帯状部８４及び第８の帯状部８５とから構成される。
【０１２３】
すなわち、第７の帯状部８４及び第８の帯状部８５は、第３の帯状部４３と平行に延び、第３の帯状部４３から所定の幅だけ離間して設けられている。又、第４の帯状部８１は、第３の帯状部４３に対向する位置関係にある。
【０１２４】
そして、フィルター構造体８０のサイズは以下の通り設定されている。
【０１２５】
第３の帯状部４３、第４の帯状部８１、第７の帯状部８４、第８の帯状部８５の幅（Ｈ９０）：１０．０ｍｍ
フィルター本体１０の長辺の長さ（Ｈ８０）      ：５６０．０ｍｍ
第４の帯状部８１の外方端から第３の帯状部４３の外方端までの長さ（Ｈ８１）：５５０．０ｍｍ
第７の帯状部８４の外方端から第３の帯状部４３の外方端までの長さ（Ｈ８２）：４４０．０ｍｍ
第８の帯状部８５の外方端から第３の帯状部４３の外方端までの長さ（Ｈ８３）：３８０．０ｍｍ
第４の帯状部８１の内方端から第３の帯状部４３の内方端までの長さ（Ｈ８４）：５３０．０ｍｍ
第７の帯状部８４の内方端から第３の帯状部４３の内方端までの長さ（Ｈ８５）：４２０．０ｍｍ
第８の帯状部８５の内方端から第３の帯状部４３の内方端までの長さ（Ｈ８６）：３６０．０ｍｍ
第１の帯状部４１、第２の帯状部４２、第５の帯状部８２及び第６の帯状部８３の幅（Ｗ９０）：１０．０ｍｍ
フィルター本体１０の短辺の長さ（Ｗ８０）：３８０．０ｍｍ
第１の帯状部４１の外方端から第２の帯状部４２の外方端までの長さ（Ｗ８１）：３７０．０ｍｍ
第１の帯状部４１の外方端から第５の帯状部８２の外方端までの長さ（Ｗ８２）：３５０．０ｍｍ
第１の帯状部４１の外方端から第６の帯状部８３の外方端までの長さ（Ｗ８３）：２７０．０ｍｍ
第１の帯状部４１の内方端から第２の帯状部４２の内方端までの長さ（Ｗ８４）：３５０．０ｍｍ
第１の帯状部４１の内方端から第５の帯状部８２の内方端までの長さ（Ｗ８５）：３３０．０ｍｍ
第１の帯状部４１の内方端から第６の帯状部８３の内方端までの長さ（Ｗ８６）：２５０．０ｍｍ
このように設定する効果について説明すると以下の通りである。
【０１２６】
まず、空気清浄機の背面吸気口のサイズは大別すると、２５０ｍｍ×３６０ｍｍ、３３０ｍｍ×４２０ｍｍ、３５０ｍｍ×５３０ｍｍの３種類のものがよく見受けられる。
【０１２７】
これら３種類のサイズの背面吸気口の外周部分で接着剤による接着を行おうとすると、粘着剤の幅を１０．０ｍｍとすると、固定部２０の外郭のサイズ（外周部分の外郭のサイズ）は、２７０ｍｍ×３８０ｍｍ、３５０ｍｍ×４４０ｍｍ、３７０ｍｍ×５５０ｍｍと設定すればよく、上述のＨ８１〜Ｈ８６、Ｗ８１〜Ｗ８６の各サイズはこれに適合するような設定となっている。
【０１２８】
尚、フィルター構造体８０の製造上、原反を切り出して製造するが、粘着剤が塗布された箇所では裁断しないので、フィルター本体１０全体のサイズは、耳となる部分を両サイド５ｍｍずつ設けた３８０ｍｍ（Ｗ８０）×５６０ｍｍ（Ｈ８０）となる。
【０１２９】
空気清浄機の背面吸気口への取り付けに際しては、フィルター構造体８０を、上述したような空気清浄機の背面吸気口の縦又は横のサイズに応じて、格子部分の帯状部（８２、８３、８４、８５）に沿って切断すれば、空気清浄機の背面吸気口の周囲を取り囲むような粘着パターンが得られる。
【０１３０】
図１７は、この発明の第９の実施の形態によるフィルター構造体の外観形状を示した平面図であり、図１５に対応するものである。
【０１３１】
尚、説明に当たっては、基本的には第８の実施の形態によるものと同一であるため、その相違点を中心に説明する。
【０１３２】
同図を参照して、この第９の実施の形態にあっては、第８の実施の形態における固定部２０において、更に、格子部分において、第１の帯状部４１等に対して平行に延びる第９の帯状部９１及び第１０の帯状部９２と、第１の帯状部４１等に対して略直交するように延びる第１１の帯状部９３及び第１２の帯状部９４とが含まれる。更に、固定部２０は、外周部分の帯状部（４１、４２、４３、８１）及び格子部分の帯状部（８２、８３、８４、８５、９１、９２、９３、９４）により囲まれる各領域部分内に設けられる標識部９５を含む。
【０１３３】
第９の帯状部９１及び第１０の帯状部９２は、それぞれ、フィルター本体１０の略矩形形状の一対の短辺の中央同士を結ぶ中心線に関し、第５の帯状部８２及び第６の帯状部８３と線対称になるように配置される。
【０１３４】
第１１の帯状部９３及び第１２の帯状部９４は、それぞれ、フィルター本体１０の略矩形形状の一対の長辺の中央同士を結ぶ中心線に関し、第７の帯状部８４及び第８の帯状部８５と線対称になるように配置される。
【０１３５】
標識部９５は、複数のハート形状により構成され、使用が進むと標識部９５のハート形状の周囲に埃が付着することで標識部９５のハート形状が浮き上がり、フィルター構造体８０の取り換え時期を示すことができる。このハート形状のサイズは、特に制限はないが、１３ｍｍ×１３ｍｍに設定することが好ましい。
【０１３６】
このようにハート形状のサイズを設定することの効果について以下に説明する。
【０１３７】
まず、空気清浄機の背面吸気口は略直角四角形形状の開口が縦横に複数個整列された状態で配置された格子状に形成されていることが多く、その格子状の格子サイズは、１５ｍｍ×１５ｍｍに設定されていることがある。
【０１３８】
このような１５ｍｍ×１５ｍｍの格子サイズの場合、格子間の隙間を塞いでしまわないように標識部９５のハート形状のサイズは、１５ｍｍ×１５ｍｍ以下に設定することが好ましいといえる。一方、使用が進み、ハート形状が浮き上がった際の視認性を考慮すると、ハート形状のサイズは、縦７ｍｍ×横６ｍｍ又は縦６ｍｍ×横７ｍｍよりも大きいことが好ましい。以上より、ハート形状のサイズは、縦７ｍｍ×横６ｍｍ又は縦６ｍｍ×横７ｍｍ、或いは、縦７ｍｍ×横７ｍｍ〜縦１５ｍｍ×横１５ｍｍに設定することが好ましいと言える。
【０１３９】
又、標識部９５に含まれる各ハート形状は、それぞれの領域部分内において千鳥状に帯状部（４１、４２、４３、８１、８２、８３、８４、８５、９１、９２、９３、９４）とは重なり合わないように配置される。ここで、例えば、ある領域部分Ｂ８１内のハート形状は、斜め４５°のラインＬ８１上に配置され、別の領域部分Ｂ８２内のハート形状は、斜め４５°のラインＬ８２上に配置されるが、ラインＬ８１とライン８２とは平行関係にあり、延長しても交わらないようずらして配置される。
【０１４０】
ここで、フィルター構造体８０を空気清浄機の背面吸気口に取り付ける際、空気清浄機の背面吸気口は格子との位置関係によっては、使用が進んでもハート形状がうまく浮き上がらないことがある。上述の通り配置することで、ハート形状と空気清浄機の背面吸気口の格子との位置関係を領域部分ごとにずらすことができるため、すべてのハート形状がうまく浮き上がらなくなってしまうことを避けることができる。
【０１４１】
尚、上記の第８の実施の形態及び上記の第９の実施の形態では、特定の数の帯状部から構成されるフィルター構造体について説明したが、その数に制限はない。例えば、上記の第８の実施の形態において、上記の第９の実施の形態と同じような帯状部を設けることも可能である。
【０１４２】
又、上記の各実施の形態では特に説明しなかったが、上記の第９の実施の形態によるフィルター構造体における標識部を、上記の第８の実施の形態や、上記の第１の実施の形態〜第７の実施の形態によるフィルター構造体において採用することも可能である。
【０１４３】
更に、上記の第９の実施の形態では、標識部は複数のハート形状により構成されていたがこれに限られない。標識部は、フィルター構造体の取り換え時期を示す標識状に粘着剤が塗布されたものであれば、他の模様、文字等の標識要素から構成されていてもよい。又、標識要素は、一辺が６〜１５ｍｍ且つ他辺が６〜１５ｍｍである正方形又は長方形で形成される範囲内に収まる大きさであってもよい。このように構成すると、標識要素が空気清浄機の背面吸気口の格子の間を防ぐことを抑制でき、且つ使用が進んだときの標識要素の視認性が高まる。これにより、標識要素が、より確実にフィルター構造体の取り換え時期を示す標識として機能する。
【０１４４】
更に、上記の第９の実施の形態では、複数のハート形状は、各領域部分において千鳥状に配置されていたが、これに限られない。複数のハート形状は、互いに離間して配置されるように構成することができる。すなわち、領域部分には複数のハート形状が島状に散在するように形成されていてもよい。
【０１４５】
更に、上記の第９の実施の形態では、複数のハート形状は、特定のライン上に配置されていたが、これに限られない。複数のハート形状は、最も近接するハート形状同士が、上下左右のいずれかに互いにずらした状態で設けられているような構成を採用することができる。より確実に標識部の標識要素の周囲に埃が付着するので、標識部の標識要素がうまく浮き上がらなくなってしまうことを避けることができる。
【０１４６】
更に、上記の第８の実施の形態及び上記の第９の実施の形態では特に説明しなかったが、フィルター構造体は、上記の第６の実施の形態で説明したように、エアーコンディショナー用のサイズに形成されたものを、所定のサイズでカットしてなるものであってもよい。
【実施例】
【０１４７】
以下、実施例に基づいて本発明について具体的に説明する。尚、本実施の形態は実施例に限定されるものではない。
Ｉ．試験に用いたフィルター構造体の構成
実施例として、上述したような不織布からなるフィルター本体に、図１等に示した粘着パターンの固定部が形成されたフィルター構造体（すなわち第１の実施の形態によるもの）で、目付及び通気量が異なるものを合わせて７種準備した。【０１４８】
実施例１〜実施例７は、ＪＩＳ  Ｌ  １０９６  Ａ法（フラジール法）に基づき計測されるフィルター本体の通気量が１５００〜５０００ｃｃ／ｃｍ２／ｓｅｃの範囲に収まるように構成されている。【０１４９】
又、比較例１として、不織布からなるフィルター本体において、実施例１〜実施例７のような固定部を備えないものを準備した。尚、比較例１の目付及び通気量は、実施例２と同様、４０ｇ／ｍ２及び４６５４ｃｃ／ｃｍ２／ｓｅｃに設定されている。【０１５０】
更に、比較例２として、空気清浄機の背面吸気口にフィルターを設けない場合についても検討した。【０１５１】
尚、実施例１〜実施例７及び比較例１においてそれぞれのサイズは以下の通りである。【０１５２】
・縦の長さ  ：  約３８ｃｍ
・横の長さ  ：  約２６ｃｍ
ＩＩ．試験の詳細及び結果
以上、実施例１〜実施例７の７種のフィルター構造体を用いて、それぞれ、以下に示すように、空気清浄機の対象機種に対して、粘着剤が塗布された固定部を介して取り付け、試験を行った。【０１５３】
又、比較例１については、空気清浄機の背面吸気口の外周部の四隅に面ファスナーを貼着し、面ファスナーを介して空気清浄機の背面吸気口に取り付けて、以下の試験を行った。【０１５４】
又、比較例２については、空気清浄機の背面吸気口にフィルターを取り付けずに、以下の試験を行った。
１．空気清浄機の対象機種
シャープ株式会社社製  製品番号：ＫＩ−ＦＸ５５−Ｗ
外形寸法（ｍｍ）      ：幅３９２×奥行２６５×高さ６３５
背面吸込口寸法（ｍｍ）：幅２２７×高さ３４５
２．試験内容
（１）空気清浄機の内部フィルターの状況確認試験
実施例１〜実施例７及び比較例１については、空気清浄機の背面吸気口に、この背面吸気口を完全に覆うようにフィルター構造体を取り付けた後、運転を開始し、自動運転モードに設定した状態で、１日２４時間の運転を２週間にわたって継続し、その後、空気清浄機の内部フィルター（ＨＥＰＡフィルター等）の汚れを目視にて確認した。【０１５５】
尚、比較例２については、フィルターなしで空気清浄機の運転を開始し、自動運転モードに設定した状態で、１日２４時間の運転を２週間にわたって継続したうえで、空気清浄機の内部フィルター（ＨＥＰＡフィルター等）の汚れを目視にて確認している。【０１５６】
結果は以下の表１に示す通りであった。【０１５７】
【表１】
2018062344.tif 000003
表１を参照して、「空気清浄機の内部フィルター枠周辺の埃汚れの状況」では、空気清浄機の内部フィルター枠周辺に埃汚れがそれほどたまっていない“小”、埃汚れがかなりたまっている“大”及び“小”と“大”との間の程度の“中”の３段階で評価した。【０１５８】
その結果、実施例１〜実施例７においては、“小”であった。又、比較例１では、“中”であった。更に、比較例２では、“大”であった。【０１５９】
フィルターを取り付けない比較例２では比較的埃汚れがたまっていた。比較例１でも、フィルターを取り付けない比較例２よりは汚れが軽減されるが、フィルター本体の四隅を面ファスナーで固定しただけでは、固定されていない部分から、埃が空気清浄機の内部フィルター側へ侵入するものと推察される。結論としては、ロの字形状に粘着剤が塗布された固定部を介して、フィルター構造体を空気清浄機に取り付ける実施例１〜実施例７の汚れ防止性能が優位であったといえる。
（２）空気清浄機の異常確認試験
・異音感知試験
空気清浄機にフィルター構造体を取り付けた後、運転を開始し、通常の運転音とは異なるような異音が発生していないか否かを官能試験により確認した。
・お掃除サイン確認試験
空気清浄機にフィルター構造体を取り付けた後、運転開始後、お掃除サインが点灯するか否かを確認した。対象機種では、フィルターに目詰まりが起こっているような場合、お掃除サインが点灯する。点灯すればフィルター構造体の通気性が低いと考えられる。【０１６０】
結果は以下の表２に示す通りであった。【０１６１】
【表２】
2018062344.tif 000004
表２を参照して、異音感知試験にて、異音が確認されなかったものは、○印とし、異音が確認されたものは×印としている。又、お掃除サイン確認試験にて、お掃除サインが点灯しなかったものは、○印とし、お掃除サインが点灯したものは、×印としている。【０１６２】
これにより、通気量１５００ｃｃ／ｃｍ２／ｓｅｃ以上が設定されている実施例１〜４については、いずれも○の評価となった一方で、通気量１３４２ｃｃ／ｃｍ２／ｓｅｃ以下が設定されている実施例５〜７については、いずれも×の評価となった。
【産業上の利用可能性】
【０１６３】
以上のように、本発明に係る空気清浄機用フィルター構造体及びこれを取り付けた空気清浄機の吸気構造は、例えば、対象物に貼着して、通過する気体をろ過するのに適している。
【図１】
2018062344.tif 000005
【図２】
2018062344.tif 000006
【図３】
2018062344.tif 000007
【図４】
2018062344.tif 000008
【図５】
2018062344.tif 000009
【図６】
2018062344.tif 000010
【図７】
2018062344.tif 000011
【図８】
2018062344.tif 000012
【図９】
2018062344.tif 000013
【図１０】
2018062344.tif 000014
【図１１】
2018062344.tif 000015
【図１２】
2018062344.tif 000016
【図１３】
2018062344.tif 000017
【図１４】
2018062344.tif 000018
【図１５】
2018062344.tif 000019
【図１６】
2018062344.tif 000020
【図１７】
2018062344.tif 000021
【国際調査報告】
2018062344.tif 000022
2018062344.tif 000023
2018062344.tif 000024
2018062344.tif 000025
2018062344.tif 000026
2018062344.tif 000027
2018062344.tif 000028